(57)【要約】【課題】伝送エラーによる符号化オーディオ信号の品質低下を防止する。【解決手段】ピッチ波形を変形し、ＭＤＣＴ変換を用いて符号化を行うオーディオ符号化において、符号化装置にピッチ周期変化パターン制御手段を設け、また、復号化装置に伝送エラーを検出するエラー検出手段と、復号信号を保持する復号信号バッファ手段と、エラーが検出された場合に、隣接フレームの符号化情報に付加されたピッチ周期情報を参照して、前記復号信号バッファ手段から補間処理に用いる復号信号を選択する、復号信号選択手段と、前記の選択された復号信号を用いて、消失フレームに対する補間信号を生成する補間信号生成手段を備えることにより、オーディオ信号のピッチ性を利用した補間信号生成を実現する。【選択図】図１
2008261904.tif 000002
【特許請求の範囲】
【請求項１】
フレームごとに符号化された符号化情報が多重化されたビットストリームから、スペクトル信号を復号し、前記復号したスペクトル信号を逆時間周波数変換することによって第１の復号信号を生成し、さらに、隣接するフレームの第１の復号信号をオーバラップ加算することによって、第２の復号信号を生成する復号化装置であって、
入力ビットストリームに対する伝送エラーを検出するエラー検出手段と、
前記隣接するフレームの第１の復号信号を保持する復号信号バッファ手段と、
隣接するフレームの符号化情報に付加されたピッチ周期情報を参照して、前記復号信号バッファ手段から補間処理に用いる第１の復号信号を選択する復号信号選択手段と、
前記選択された第１の復号信号を用いて、エラーによって消失したフレームを補う補間信号を生成する補間信号生成手段と、
前記エラー検出手段によりエラーが検出された場合、エラーによって消失したフレームに隣接するフレームの前記復号信号バッファ手段に保持されている第１の復号信号と、生成された前記補間信号とを加算することにより、補間された第２の復号信号を生成するオーバラップ加算手段とを備える、
復号化装置。
【請求項２】
前記符号化情報に付加されたピッチ周期情報は、前記スペクトル信号を逆時間周波数変換する変換ブロックに含まれる、連続する２つのフレームのピッチ周期が同じであるか否かを示す識別子と、前記連続する２つのフレームのうち前フレームのピッチ周期とを含むことを特徴とする請求項１に記載の復号化装置。
【請求項３】
前記復号信号選択手段は、前記識別子に基づいて、隣接するフレームのピッチ周期情報を選択的に参照して、エラーによって失われたフレームのピッチ周期情報を復元することを特徴とする請求項２に記載の復号化装置。
【請求項４】
前記スペクトル信号は、ＭＤＣＴ係数であり、前記逆時間周波数変換は逆ＭＤＣＴ変換であることを特徴とする請求項１に記載の復号化装置。
【請求項５】
入力オーディオ信号を、時間周波数変換によって、スペクトル信号に変換して符号化する符号化装置であって、
入力オーディオ信号のピッチ周期を検出するピッチ周期検出手段と、
検出された前記ピッチ周期を、あらかじめ定められた法則に従って修正するピッチ周期変化パターン制御手段と、
修正されたピッチ周期に基づいて、入力オーディオ信号をフレーミングするフレーミング手段と、
前記修正されたピッチ周期に基づいてフレーミングされた入力オーディオ信号の波形を変形して、あらかじめ定められた時間周波数変換フレーム長の波形信号を生成する、波形変形手段と、
前記変形された波形信号を時間周波数変換する時間周波数変換手段と、変換されたスペクトル信号を符号化する時間周波数符号化手段と、前記変換されたスペクトル信号と前記修正されたピッチ周期とを多重化してビットストリームとして出力するビットストリーム多重化手段とを備えることを特徴とする
符号化装置。
【請求項６】
前記ピッチ周期変化パターン制御手段は、ピッチ周期が変化するフレーム境界において、前記フレーム境界の前の連続する２フレームについて同じピッチ周期を設定し、前記フレーム境界の後の連続する２フレームについても同じピッチ周期を設定することを特徴とする請求項５に記載の符号化装置。
【請求項７】
フレームごとに符号化された符号化情報が多重化されたビットストリームから、スペクトル信号を復号するステップと、前記復号したスペクトル信号を逆時間周波数変換することによって第１の復号信号を生成するステップと、隣接するフレームの第１の復号信号をオーバラップ加算することによって、第２の復号信号を生成するステップからなる復号化方法であって、
入力ビットストリームに対する伝送エラーを検出するステップと、前記第１の復号信号を保持するステップと、隣接フレームの符号化情報に付加されたピッチ周期情報を参照して、保持された第１の復号信号から補間処理に用いる第１の復号信号を選択するステップと、選択された第１の復号信号を用いて、エラーによって消失したフレームを補う補間信号を生成するステップと、生成された補間信号を、前記第１の復号信号を保持するステップにおいて保持された、エラーによって消失したフレームに隣接するフレームの第１の復号信号とオーバラップ加算することにより、補間された第２の復号信号を生成するステップから構成される、
復号化方法。
【請求項８】
入力オーディオ信号を、時間周波数変換によって、スペクトル信号に変換して符号化する方法であって、
入力オーディオ信号のピッチ周期を検出するステップと、
検出されたピッチ周期を、あらかじめ定められた法則に従って修正するステップと、修正されたピッチ周期に基づいて、入力オーディオ信号をフレーミングするステップと、前記修正されたピッチ周期に基づいてフレーミングされた入力オーディオ信号の波形を変形して、あらかじめ定められた時間周波数変換フレーム長の波形信号を生成ステップと、前記変形された波形信号を時間周波数変換し、変換されたスペクトル信号と、前記修正されたピッチ周期とを、符号化および、多重化して、ビットストリームとして出力するステップからなる、
符号化方法。
【請求項９】
請求項７に記載の復号化方法に含まれる各ステップを、コンピュータに実行させるためのプログラム。
【請求項１０】
請求項８に記載の符号化方法に含まれる各ステップを、コンピュータに実行させるためのプログラム。
【発明の詳細な説明】
【技術分野】
【０００１】
本発明は、オーディオ信号を符号化してディジタル信号として伝送し、受信した符号を復号化することによって、元のオーディオ信号を得る装置であって、伝送時に発生するエラーによって失われる信号を効果的に補償し、伝送エラーによる音質劣化を防止する装置に関する。
【背景技術】
【０００２】
オーディオ符号化の目的は、ディジタル化されたオーディオ信号をできるだけ効率的に圧縮符号化、伝送し、復号化装置における復号化処理によって、できるだけ高い品質のオーディオ信号を再生することにある。オーディオの符号化方式としては、対象となる信号の種類や、ビットレート、要求される音質等の条件により、様々な方式が提案されている。例えば、ＩＳＯ／ＩＥＣの標準規格であるＭＰＥＧ−４  Ａｕｄｉｏ（非特許文献１）では、ＡＡＣ（Ａｄｖａｎｃｅｄ  Ａｕｄｉｏ  Ｃｏｄｉｎｇ）、ＣＥＬＰ  （Ｃｏｄｅ  Ｅｘｃｉｔｅｄ  Ｌｉｎｉｅｒ  Ｐｒｅｄｉｃｔｉｏｎ）、ＨＶＸＣ  （Ｈａｒｍｏｎｉｃ  Ｖｅｃｔｏｒ  ｅＸｃｉｔａｔｉｏｎ  Ｃｏｄｉｎｇ）等の符号化方式が公開されている。特に、ＡＡＣ方式は、音楽を含む一般のオーディオ信号を、高い品質（例えば、コンパクトディスクオーディオと同等）で符号化できる、優れた方式であり、ＭＤＣＴ（Ｍｏｄｉｆｉｅｄ  Ｄｉｓｃｒｅｔｅ  Ｃｏｓｉｎｅ  Ｔｒａｎｓｆｏｒｍ）と呼ばれる時間周波数変換を用いることを特徴とする。これらの符号化方式は、通信、放送および蓄積型のオーディオ機器において、幅広く用いられている。
【０００３】
符号化されたオーディオ信号を伝送するにあたっては、有線／無線伝送路の違いや、伝送規格の違い等により、様々な方法を用いることができる。しかしながら、使用する伝送方法によっては、伝送時に発生するエラーによって、伝送情報の一部が誤ったり、失われたりすることがある。例えば、携帯電話をはじめとする移動体通信では、無線伝送路において外乱の影響を受けやすいため、伝送エラーが発生する可能性が高く、また有線伝送路であっても、リアルタイム性を重視するインターネット通信で用いられるＵＤＰ（Ｕｓｅｒ  Ｄａｔａｇｒａｍ  Ｐｒｏｔｏｃｏｌ）では、情報パケットの伝送遅延等により、伝送情報の一部が欠落することがある。
【０００４】
オーディオ信号の符号化は、通常、符号化フレームと呼ばれる区間ごとに行われるため、伝送エラーや伝送情報の欠落により失われるオーディオ信号の区間も、符号化フレーム単位となる。符号化フレームの長さは、多くの符号化方式において２０から４０ｍｓｅｃ程度であり、符号化フレームの欠損による復号オーディオ信号の品質劣化への影響は非常に大きい。したがって、エラーの発生しやすい伝送路を用いてオーディオ信号を伝送する場合には、例えば、伝送する情報に誤り訂正符号を付加するなど、エラーの影響を低減するための対策を行うのが一般的である。しかしながら、誤り訂正符号の訂正能力を超えるエラーが発生した場合や、パケット通信における情報パケット欠落が発生した場合には、元の信号を完全に復元することはできないため、聴感上の音質の劣化を防止することを目的とする別の対策が必要である。このような対策の代表としては、補間処理があげられる。オーディオ信号は時間的に連続な信号であり、一般的に、近接する信号は相関性が高いという特性を持つ。この性質を利用して、失われた部分の前後の信号から失われた部分の信号を推定することによって、失われた部分の信号の代替となる信号（補間信号と呼ぶ）を生成することができる。
【０００５】
補間信号生成の方法は、大きく２種類に分けられる。一つは、時間領域の信号処理で補間信号を生成する方法、もう一つは、周波数領域の信号処理で補間信号を生成する方法である。前者の時間領域の信号処理で補間信号を生成する方法の特徴は、オーディオ信号の時間的相関性を効果的に利用することができることである。オーディオ信号は、一般的にある特定周期の周期性を持つ音信号の集合体であり、その代表周期はピッチ周期と呼ばれる。オーディオ信号を、そのピッチ周期で区切ったとき、隣接するピッチ周期で区切られた区間同士は、強い相関性を持つことが多い。この性質を利用すれば、ある区間のオーディオ信号が失われたとき、失われた区間の前後の区間のオーディオ信号とそのピッチ周期から、失われた区間のオーディオ信号を補間生成することができる。例えば、特許第３１３１４３７号公報（特許文献１）においてその一例が開示されており、エラーフレームの前の符号化フレームの信号を、ピッチ周期を基準として繰り返すことにより補間信号を生成できることが示されている。後者の周波数領域の信号処理で補間信号を生成する方法は、主に、対象となるオーディオ符号化が、オーディオ信号を周波数信号（スペクトル信号）に変換して符号化する方法を用いている場合に適用される。一例として、３ｇｐｐ  （Ｔｈｉｒｄ  Ｇｅｎｅｒａｔｉｏｎ  Ｐａｒｔｎｅｒｓｈｉｐ  Ｐｒｏｊｅｃｔ）  ＴＳ  ２６．４０２規格書（非特許文献２）において、ＡＡＣ方式の符号化フレーム信号を補間生成する方法が開示されている。図２はＴＳ２６．４０２規格書に示される補間信号生成処理の構成を表す図である。ＡＡＣ方式は、時間周波数変換に２種類の変換ブロック長を用いているため、補間元の符号化フレームと補間される符号化フレームの変換ブロック長の組み合わせにより補間方法が異なるが、いずれの場合にも、補間元となる隣接するフレームのスペクトル信号を、補間先の符号化フレームに複製する処理を基本としているので、ここでは、すべての変換ブロック長が一致している場合を代表例として説明する。エラー検出手段２０１は、入力ビットストリーム２０６に含まれるエラーもしくは、符号化フレームの消失を検出し、エラーフラグ２０７を補間信号生成手段２０２に通知する。エラーフラグ２０７が通知されない符号化フレームにおいては、エラーのない入力ビットストリーム２０８がスペクトル信号復号手段２０４に引き渡され、スペクトル信号の復号処理が行われる。復号されたスペクトル信号２０９は、一旦スペクトル信号バッファ手段２０３に蓄えられ、１フレームの遅延を与えられる。スペクトル信号バッファ手段２０３から取り出されたスペクトル信号２１２は、時間周波数逆変換手段２０５において変換処理が行われ、出力オーディオ信号２１３が生成される。ここで、スペクトル信号バッファを用いてスペクトル信号を遅延させるのは、次に示す補間信号生成処理において、エラーフレームの前後双方の符号化フレームのスペクトル信号を利用するためである。図３は、スペクトル信号バッファ手段２０３の状態を示す図である。スペクトル信号バッファには、連続する３フレーム（第ｎ−１、第ｎ、および第ｎ＋１フレーム）分のスペクトル信号が保存される。復号化装置に転送されるフレームを現フレーム（第ｎフレームを示す）と定義すると、入力ビットストリームを復号して得られるスペクトル信号は、次フレーム（第ｎ＋１フレームを示す）のスペクトル信号にあたり、現フレームのスペクトル信号が時間周波数逆変換手段に送られるタイミングにおいては、前フレーム（第ｎ−１フレームを示す）と次フレームを含む３フレーム分のスペクトル信号が、スペクトル信号バッファ上に存在することになる。エラーフラグが通知された符号化フレームにおいては、入力ビットストリームは、スペクトル信号復号手段に引き渡されず廃棄される。したがって、スペクトル信号バッファ上の第ｎ＋１フレームのスペクトル信号は空となる。エラーフレームに続く次の符号化フレームのビットストリームが入力されると、図３に示される様に、空のスペクトル信号は第ｎフレームに移動し、第ｎ＋１フレームの位置には、新しく復号されたスペクトル信号が保存される。補間信号生成手段２０２は、第ｎフレームの空のスペクトル信号を逆変換しようとするタイミングにおいて、エラーフラグの通知により、逆変換しようとする第ｎフレームのスペクトル信号が空であることを知っているので、補間信号生成手段に対して、前フレームおよび次フレームのスペクトル信号２１０を利用して、現フレームに対する補間信号２１１を生成するように指示を出す。補間信号２１１は次のステップにより生成される。
【０００６】
（１）  第ｎ−１フレームのスペクトル信号を第ｎフレームに複製する。
【０００７】
（２）  第ｎ−１フレームと第ｎ＋１フレームのそれぞれのスペクトル信号から、スペクトル信号をいくつかのグループに区切ったサブバンドごとに、スペクトル信号エネルギを算出する。
【０００８】
（３）  算出されたサブバンドごとのスペクトル信号エネルギを補間し、第ｎフレームのサブバンドごとのスペクトル信号エネルギを決定する。
【０００９】
（４）  決定した第ｎフレームのサブバンドごとのスペクトル信号エネルギにしたがって、第ｎフレームのスペクトル信号を整形する。
【００１０】
（５）  整形されたスペクトル信号の持つ正負の符号を、ランダムに反転させる。
【特許文献１】特許第３１３１４３７号公報
【非特許文献１】国際標準規格ＩＳＯ／ＩＥＣ  １４４９６−３：２００１／ＡＭＤ１：２００３規格書
【非特許文献２】３  ｇｐｐ（Ｔｈｉｒｄ  Ｇｅｎｅｒａｔｉｏｎ  Ｐａｒｔｎｅｒｓｈｉｐ  Ｐｒｏｊｅｃｔ）  ＴＳ  ２６．４０２規格書
【発明の開示】
【発明が解決しようとする課題】
【００１１】
以上で説明した様に、エラーフレームに対する補間信号の生成方法は、時間領域の信号処理で実現する方法と、周波数領域の信号で実現する方法があるが、両者の大きな相違点として、時間領域の信号処理では、オーディオ信号のピッチ周期を利用しているのに対して、周波数領域の信号処理では、ピッチ周期を利用していないことがあげられる。この理由としては、時間領域と周波数領域それぞれの信号において、ピッチ周期がどのように表現されるかの違いによるところが大きい。ピッチ周期とは、時間的な波形の長さの情報であるため、時間領域の信号において、補間に利用するピッチ周期波形を切り出す処理では、「ピッチ周期＝切り出される波形の長さ」という形で、直接的に利用できる。これに対して、周波数領域の信号においては、ピッチ周期に対応する情報はピッチ周波数として取り扱われるが、ピッチ周波数を元に、ピッチ周期波形に対応する周波数領域の信号を切り出すことは、一般的に困難である。またこの特性は、オーディオ信号の符号化処理にも影響を与えており、時間領域の信号処理によるオーディオ符号化（例えば、前出のＣＥＬＰ等）では、多くの場合において、符号化情報にピッチ周期情報が含まれるのに対し、周波数領域の信号処理によるオーディオ符号化（例えば、前出のＡＡＣ等）では、ピッチ周期情報はあまり利用されない。符号化情報にピッチ周期情報を含まない符号化方式では、ピッチ周期に基づく補間処理を行おうとすると、復号化装置において新たにピッチ周期を算出する処理が必要となり、復号化装置の処理量を増加させることになる。さらに、高品質のオーディオ信号を符号化する目的で用いられるＭＤＣＴ変換を利用した符号化方式においては、ＴＤＡＣ  （Ｔｉｍｅ  Ｄｏｍａｉｎ  Ａｉｌｉａｓｉｎｇ  Ｃａｎｃｅｌｌａｔｉｏｎ）（ＩＥＥＥ  Ｔｒａｎｓ．  ＡＳＳＰ−３４  Ｎｏ．５  Ｏｃｔ．  １９８６，  Ｊｏｈｎ  Ｐ．  Ｐｒｉｎｃｅｎ  ａｎｄ  Ａｌａｎ  Ｂｅｒｎａｒｄ  Ｂｒａｄｌｅｙ，  “Ａｎａｌｙｓｉｓ／Ｓｙｎｔｈｅｓｉｓ  Ｆｉｌｔｅｒ  Ｂａｎｋ  Ｄｅｓｉｇｎ  Ｂａｓｅｄ  ｏｎ  Ｔｉｍｅ  Ｄｏｍａｉｎ  Ａｌｉａｓｉｎｇ  Ｃａｎｃｅｌｌａｔｉｏｎ”）技術に基づくオーバラップ加算処理によって時間復号信号を得る構成のため、補間生成した信号が、エイリアシングキャンセル条件を満たすように構成することは、容易でない。以上の理由により、周波数領域の信号処理によるオーディオ符号化の多くでは、ピッチ周期情報を利用せず、スペクトル信号の補間処理によって補間信号を生成している。しかしながら、ピッチ周期情報を利用しないスペクトル信号の補間処理では、ピッチ周期情報を利用する時間領域の補間信号処理と比較して、補間に伴う音質の劣化が大きくなるという問題があった。
【００１２】
本発明は、前記課題を解決するものであり、ＭＤＣＴを用いるオーディオ符号化において、復号化装置の処理負荷を増加させることなく、ピッチ周期を利用した補間処理を実現し、補間信号の品質を向上する手段を提供するものである。
【００１３】
一般に、ＭＤＣＴ変換処理は、あらかじめ定められた変換ブロック長の信号に対して変換を行う。変換ブロック長は、主に必要演算量の理由から、２のべき乗（１０２４など）サンプルに設定され、常に固定か、もしくは２つないし３つ程度の値から、変換ブロックごとに選択して用いる。一例として、符号化フレーム長を１０２４サンプルと設定すると、ＭＤＣＴは隣接する２フレームを一つの変換ブロックとして変換を行うため、その変換ブロック長は２０４８サンプルとなる。変換によって算出されるスペクトル信号は、変換ブロックに含まれる時間信号サンプル数と同じ２０４８本であるが、係数の対称性により、実際に伝送する必要があるのは、半分の１０２４本である。よって、符号化フレームの時間サンプル数と、変換ブロックごとに伝送するスペクトルの本数は等しい。また、変換ブロックは、符号化フレームの間隔をおいてオーバラップする形で配置されるので、各変換ブロックに対応する符号化情報の伝送間隔は、符号化フレームの時間間隔と等しい。図４は、ＭＤＣＴの逆変換処理における、変換処理ブロックの構成を示す図である。ＭＤＣＴの逆変換においては、逆変換された復号時間信号に対して、オーバラップ加算処理が行われ、第ｎ−１ブロックの後半にあたる符号化フレームと、第ｎブロックの前半にあたる符号化フレームの、逆変換された時間信号同士が加算され、最終的な復号オーディオ信号となる。復号されたオーディオ信号の時間長は、１符号化フレーム長の１０２４サンプルである。このような構成において、ある一つの符号化フレーム情報が欠落し、欠落部分をスペクトル信号の補間により補った場合、１変換ブロック＝２符号化フレームにあたる復号信号が影響を受けることは、先に説明したとおりである。また、補間スペクトル信号を逆変換した時間補間信号の時間長は、常にＭＤＣＴ変換ブロック長であり、信号のピッチ周期は考慮されない。
【００１４】
このようなＭＤＣＴ変換を用いるオーディオ符号化において、入力信号のピッチ周期情報を利用できるようにするためには、ＭＤＣＴ逆変換によって得られる復号時間信号が、入力信号のピッチ波形を再現するものである必要がある。しかしながら、ピッチ周期は時間的に変化するため、通常の固定ブロック変換では、ピッチ周期と変換ブロック長が不一致となり、ピッチ波形の再現はできない。この問題を解決する方法としては、その一例がWO／２００６／１３７４２５に示されており、任意の時間長のピッチ波形を変形して固定ブロック長の信号を生成することによって、固定ブロック長変換のＭＤＣＴを用いて変換符号化することが可能であることが示されている。ただし、本発明が目的とする、フレーム欠落時の補間処理において、適切なピッチ波形を補間生成するためには、任意のピッチ波形を符号化フレームとして符号化できるだけでは不十分である。なぜならば、ＭＤＣＴ逆変換において行われるオーバラップ加算において、ピッチ波形が正しく再現されるためには、オーバラップ加算される２つの区間のピッチ周期が等しい必要があり、この条件は、エラーによって欠落したフレームを補間生成した場合にも満たされなければならないからである。
【課題を解決するための手段】
【００１５】
上記課題を解決するため、本発明によれば、符号化装置において、ピッチ周期変化パターン制御手段を設け、また、復号化装置において、伝送エラーを検出するエラー検出手段と、復号信号を保持する復号信号バッファ手段と、エラーが検出された場合に、隣接フレームの符号化情報に付加されたピッチ周期情報を参照して、前記復号信号バッファ手段から補間処理に用いる復号信号を選択する、復号信号選択手段と、前記の選択された復号信号を用いて、消失フレームに対する補間信号を生成する補間信号生成手段を備えることにより、前記オーバラップ区間におけるピッチ周期の一致条件を満たすようにする。
【発明の効果】
【００１６】
本発明の復号化装置の構成により、時間周波数変換を用いるオーディオ復号化において、オーディオ信号のピッチ性を利用して消失フレームに対する補間信号を生成することにより、失われた信号により近い補間信号を生成することができる。これにより、失われた信号の代わりに補間信号を用いることによる音質の劣化を減少させることができる。
【００１７】
また、本発明の符号化装置の構成により、時間周波数変換を用いるオーディオ符号化において、時間周波数変換のフレーム長をピッチ周期に同期させ、また、ピッチ周期情報をビットストリームに多重化して送出することができる。これにより、オーディオ信号のピッチ性を利用して消失フレームに対する補間信号を生成することを可能にし、失われた信号の代わりに補間信号を用いることによる音質の劣化を減少させることができる。
【発明を実施するための最良の形態】
【００１８】
上記課題を解決するため、本発明によれば、符号化装置において、ピッチ周期変化パターン制御手段を設け、また、復号化装置において、伝送エラーを検出するエラー検出手段と、復号信号を保持する復号信号バッファ手段と、エラーが検出された場合に、隣接フレームの符号化情報に付加されたピッチ周期情報を参照して、前記復号信号バッファ手段から補間処理に用いる復号信号を選択する、復号信号選択手段と、前記の選択された復号信号を用いて、消失フレームに対する補間信号を生成する補間信号生成手段を備えることにより、前記オーバラップ区間におけるピッチ周期の一致条件を満たすようにする。
【００１９】
本発明の復号化装置の構成により、時間周波数変換を用いるオーディオ復号化において、オーディオ信号のピッチ性を利用して消失フレームに対する補間信号を生成することにより、失われた信号により近い補間信号を生成することができる。これにより、失われた信号の代わりに補間信号を用いることによる音質の劣化を減少させることができる。
【００２０】
また、本発明の符号化装置の構成により、時間周波数変換を用いるオーディオ符号化において、時間周波数変換のフレーム長をピッチ周期に同期させ、また、ピッチ周期情報をビットストリームに多重化して送出することができる。これにより、オーディオ信号のピッチ性を利用して消失フレームに対する補間信号を生成することを可能にし、失われた信号の代わりに補間信号を用いることによる音質の劣化を減少させることができる。
【００２１】
（実施の形態１）
以下、本発明の実施の形態１における符号化装置、復号化装置について、図面を参照しながら説明する。
【００２２】
図１は、本発明の符号化装置の構成を示す図である。
【００２３】
入力オーディオ信号１０７は、フレーミング手段１０１およびピッチ周期検出手段１０２に入力される。
【００２４】
ピッチ周期検出手段１０２は、入力オーディオ信号１０７を分析し、ピッチ周期１０８を出力する。
【００２５】
ピッチ周期変化パターン制御手段１１４は、ピッチ周期１０８の変化を監視し、その変化パターンが、あらかじめ定められた法則に従うように修正する。修正処理の詳細は後述する。ピッチ周期変化パターン制御手段１１４によって修正されたピッチ周期１１５は、フレーミング手段１０１に入力される。
【００２６】
フレーミング手段１０１は、修正されたピッチ周期１１５を参照して、入力オーディオ信号１０７を、ピッチ周期長の符号化フレーム信号１０９に分割する。
【００２７】
波形変形手段１０３は、符号化フレーム信号１０９を、ＭＤＣＴ変換が可能な形に変形する。
【００２８】
変形されたＭＤＣＴフレーム信号１１０は、ＭＤＣＴ手段１０４においてＭＤＣＴ係数１１１に変換される。
【００２９】
ＭＤＣＴ係数符号化手段１０５は、ＭＤＣＴ係数１１１を符号化し、ＭＤＣＴ符号化情報１１２を出力する。
【００３０】
ビットストリーム多重化手段１０６は、ＭＤＣＴ符号化情報１１２と、修正されたピッチ周期１１５を多重化し、出力ビットストリーム１１３を構成する。
【００３１】
ここで、ＭＤＣＴ係数符号化手段１０５としては、公知のいかなる符号化手段を用いることが可能であり、その詳細は省略する。
【００３２】
ＭＤＣＴ符号化情報１１２は、用いるＭＤＣＴ係数符号化手段１０５の構成によって、その内容が異なり、ＭＤＣＴ係数を直接表す符号の他に、ＭＤＣＴ係数を効率的に符号化するための補助情報を含んでもよい。
【００３３】
次に、ピッチ周期変化パターン制御手段１１４の動作を説明する。図５は、各符号化フレームに設定されるピッチ周期情報のパターンを示す図である。（非特許文献２）によれば、ある一つのＭＤＣＴ変換ブロック（ここでは、第ｎ変換ブロック）に属する２つの符号化フレーム（前フレームと後フレーム）は、等しいピッチ周期を持つこともできるし、それぞれ異なるピッチ周期を持つこともできる。一方、隣接する変換ブロック間においては、オーバラップ加算される区間同士、例えば、第ｎ−１ブロックの後半フレームと第ｎブロックの前半は、等しいピッチ周期を持つ必要があり、同様に、第ｎブロックの後半フレームと第ｎ＋１ブロックの前半は等しいピッチ周期を持つ。さらに、近接区間において、等しいピッチ周期を持つ符号化フレーム同士は、互いに相関性の高いピッチ波形を含む符号化フレームであるとみなせるため、途中フレームをスキップして、時間的に離れた符号化フレームの信号同士をオーバラップ加算して復号信号を生成しても、入力信号のピッチ波形に近いピッチ波形を生成することができる。
【００３４】
続いて、任意の符号化フレームの符号化情報が消失したときに、適切な補間処理が実行可能な条件について説明する。図６は、前フレームと後フレームが等しいピッチ周期を持つ、第ｎ変換ブロックに対応する第ｋ符号化フレームの符号化情報が消失した例である。ここで、第ｎ−１変換ブロックの後フレーム（第ｋ符号化フレームの区間に相当）のピッチ周期Ｂ１と、第ｎ＋１変換ブロックの前フレーム（第ｋ＋１符号化フレームの区間に相当）のピッチ周期Ｂ２は等しい、つまり、これらの区間の信号同士はオーバラップ加算可能な条件を満たしていることを示している。したがって、失われた第ｋ符号化フレームの信号については、第ｎ−１変換ブロックの後フレームの信号と、第ｎ＋１変換ブロックの前フレームの信号をオーバラップ加算することによって生成すればよい。同様に、失われた第ｋ＋１符号化フレームの信号についても、第ｎ−１変換ブロックの後フレームの信号と、第ｎ＋１変換ブロックの前フレームの信号をオーバラップ加算することによって生成することができる。
【００３５】
図７は、前フレームと後フレームが異なるピッチ周期を持つ、第ｎ−１変換ブロックに対応する第ｋ−１符号化フレームの符号化情報が消失した例である。ここで、第ｎ−２変換ブロックの後フレーム（第ｋ−１符号化フレームの区間に相当）のピッチ周期Ａ２と、第ｎ変換ブロックの前フレーム（第ｋ符号化フレームの区間に相当）のピッチ周期Ｂ１は異なる、つまり、これらの区間の信号同士はオーバラップ加算可能な条件を満たしていない。したがって、第ｋ−１符号化フレームおよび第ｋ符号化フレームの区間それぞれに対して、オーバラップ可能な区間を別途設定する必要がある。オーバラップ加算処理を行う区間同士は、できるだけ近接していることが望ましいので、第ｋ−１符号化フレームの区間に対しては第ｋ−２符号化フレームの区間、また、第ｋ符号化フレームの区間に対しては第ｋ＋１符号化フレームの区間を選択する。つまり、第ｎ−２変換ブロックは、前フレーム（第ｋ−２符号化フレームの区間に相当）のピッチ周期Ａ１と、後フレーム（第ｋ−１符号化フレームの区間に相当）のピッチ周期Ａ２が等しくなるように設定し、第ｎ変換ブロックは、前フレーム（第ｋ符号化フレームの区間に相当）のピッチ周期Ｂ１と、後フレーム（第ｋ＋１符号化フレームの区間に相当）のピッチ周期Ｂ２が等しくなるように設定する。この設定により、第ｋ−１符号化フレームおよび第ｋ符号化フレームの区間の信号は、オーバラップ加算により生成することが可能になる。
【００３６】
ピッチ周期変化パターン制御手段１１４は、入力されるピッチ周期情報を監視し、ピッチ周期が変化するとき、上記ピッチ周期設定条件を満たすように、ピッチ周期情報を修正する。具体的には、ある符号化フレーム境界を挟む２つの符号化フレームにおいて、異なるピッチ周期を設定する場合、前記フレーム境界の前２つの連続フレームに対して同じピッチ周期を設定し、さらに、フレーム境界を越えた後２つの連続フレームに対して同じピッチ周期を設定する。また、より簡単には、常に２つの連続フレームに対して同じピッチ周期を設定するようにしてもよい。連続フレームに対して同じピッチ周期を設定する方法としては、連続フレーム区間に含まれる各フレームのピッチ周期をそれぞれ算出した後、平均値を求める方法や、連続フレーム区間全体に対するピッチ分析を行い、連続フレーム区間を代表する値を算出する方法などが利用できる。
【００３７】
（実施の形態２）
図８は、本発明の復号化装置の構成を示す図である。
【００３８】
入力ビットストリーム８１１は、エラー検出手段８０１に入力され、異常がないかどうか、すなわち、符号化フレーム情報の消失もしくは伝送エラーが発生していないかどうかチェックされる。
【００３９】
入力ビットストリーム８１１に異常がない場合には、エラーのない入力ビットストリーム８１２は、ビットストリーム分離手段８０２において、ＭＤＣＴ係数符号８１４とピッチ周期情報８１５に分離される。ＭＤＣＴ係数復号化手段８０３は、ＭＤＣＴ係数符号８１４を復号し、ＭＤＣＴ係数８１６を得る。ここで、ＭＤＣＴ係数復号化手段８０３としては、公知のいかなる手段でも用いることが可能であり、詳細は省略する。
【００４０】
ＭＤＣＴ係数復号化手段８０３に入力されるＭＤＣＴ係数符号８１４は、用いるＭＤＣＴ係数復号化手段８０３の構成によって、その内容が異なり、ＭＤＣＴ係数を直接表す符号の他に、ＭＤＣＴ係数を効率的に符号化するための補助情報を含んでもよい。
【００４１】
逆ＭＤＣＴ手段８０４は、ＭＤＣＴ係数８１６を逆変換して、復号信号８１７を生成し、復号信号バッファ手段８０５に保存する。
【００４２】
復号信号バッファ手段８０５の動作については、後に詳細を説明する。
【００４３】
オーバラップ加算手段８０６は、復号信号バッファ手段８０５から取り出された復号信号８１８に対して、オーバラップ加算処理を行い、フレーム復号信号８１９を算出する。
【００４４】
波形変形手段８０７は、フレーム復号信号８１９を、ピッチ周期情報８１５を参照しながら変形し、変形されたフレーム復号信号８２０を出力する。
【００４５】
波形接続手段８０８は、変形されたフレーム復号信号８２０を接続し、出力オーディオ信号８２１を生成する。
【００４６】
入力ビットストリーム８１１に異常が検出された場合、エラー検出手段８０１は、エラーフラグ８１３を復号信号選択手段８０９に通知すると共に、入力ビットストリーム８１１を破棄する。
【００４７】
復号信号選択手段８０９は、エラーフラグが通知されたフレームの前後フレームのピッチ周期情報８１５を元に失われたピッチ周期情報を復元し、復元されたピッチ周期情報８２５に従って、補間信号生成に使用する復号信号８２３を、復号信号バッファ手段８０５から選択するように、指示８２２を出す。選択された復号信号８２３は、補間信号生成手段８１０に対して出力される。
【００４８】
失われたピッチ周期情報を復元する方法については後述する。
【００４９】
補間信号生成手段８１０は、消失したＭＤＣＴ変換ブロックに対する補間信号８２４を生成し、復号信号バッファ手段８０５に書き戻す。
【００５０】
オーバラップ加算手段８０６は、復号信号バッファ手段８０５から取り出された復号信号８１８に対して、オーバラップ加算処理を行い、フレーム復号信号８１９を算出する。
【００５１】
波形変形手段８０７は、フレーム復号信号８１９を、復号信号選択手段８０９において復元されたピッチ周期情報８２５を参照しながら変形し、変形されたフレーム復号信号８２０を出力する。
【００５２】
波形接続手段８０８は、変形されたフレーム復号信号８２０を接続し、出力オーディオ信号８２１を生成する。
【００５３】
図９は復号信号バッファ手段８０５の状態を示す図である。
【００５４】
復号信号バッファ手段８０５は、連続する３フレームのＭＤＣＴ逆変換後の復号信号を保存できるように構成されている。各フレームに対応するＭＤＣＴ逆変換後の復号信号の長さは、ＭＤＣＴ変換ブロック長であり、２符号化フレーム長に相当する。連続する３フレームを、それぞれ第ｋ−２、第ｋ−１、第ｋフレームとすると、第ｋフレームの逆ＭＤＣＴ変換手段の出力である復号信号は、第ｎ変換ブロックの位置に書き込まれる。第ｎ−１変換ブロックは、第ｋフレームに対して１つ前のフレームの復号信号を保持し、第ｎ−２変換ブロックは、第ｋフレームに対して２つ前のフレームの復号信号を保持する。新規に復号信号が入力されるごとに、バッファの内容は更新される。オーバラップ加算手段８０６がオーバラップ加算処理に用いる復号信号は、第ｎ−２変換ブロックと第ｎ−１変換ブロックの復号信号であり、オーバラップ加算処理後に得られる復号信号は、第ｋ−１フレーム区間の信号である。入力ビットストリームに異常がない状態では、すべての変換ブロックに対応するバッファに復号信号が保存されているが、異常が検出され、エラーフラグが通知されたフレームにおいては、当該フレームに対応する変換ブロックのバッファは空となる。空のバッファが、第ｎ−１変換ブロックの位置に来たとき、補間信号生成手段８１０は補間信号を生成し、空のバッファを補充する。
【００５５】
補間信号生成の方法は、エラーフレームの前後フレーム、すなわち、第ｋ−１フレームがエラーフレームであるときの、第ｋ−２フレームと第ｋフレームに設定されているピッチ周期情報によって異なる。本発明の実施の形態１で説明したように、ピッチ周期が切り替わるフレーム境界の前後においては、連続する２フレームのピッチ周期は等しくなるように設定されている。また、各フレームの符号化情報に付加されているピッチ周期情報は、対応するＭＤＣＴ変換ブロックの前フレームのピッチ周期の値と、当該ＭＤＣＴ変換ブロックの前フレームと後フレームのピッチ周期が等しいか否かを示す識別情報である。例として、識別子情報が１のとき、前フレームと後フレームのピッチ周期が等しく、０のとき異なるとする。このような配置においては、エラーによって消失したフレームに設定されていたピッチ周期情報を、前後フレームのピッチ周期情報から復元することができるので、以下にその方法を説明する。
【００５６】
（１）第ｋ−２フレームの識別子情報が０である場合
図１０に示されるように、ピッチ周期情報の配置規則により、識別子情報が０のフレームの次フレームは、必ず識別子情報が１である。したがって、第ｋ−１フレームは、対応する第ｎ−１変換ブロックの前後フレームに同じピッチ周期が設定されている。第ｎ−１変換ブロックの後フレームのピッチ周期は、第ｋフレームに対応する第ｎ変換ブロックの前フレームのピッチ周期と同一であるから、第ｋフレームの符号化情報に付加されているピッチ周期の値により、消失したピッチ周期が復元される。
【００５７】
（２）第ｋ−２フレームの識別子情報が１である場合
ピッチ周期情報の配置規則により、識別子情報が１のフレームの次フレームは、識別子情報が０または１である。第ｋ−１フレームの識別子情報が０であるか１であるかは、第ｋ−２フレームのピッチ周期と、第ｋフレームのピッチ周期を比較すれば判明する。すなわち、両者が一致すれば、第ｋ−１フレームにおいてピッチ周期は変化せず、第ｋ−１フレームの識別子情報は１となる。逆に、両者が異なれば、第ｋ−１フレームにおいてピッチ周期が変化したことを意味し、第ｋ−１フレームの識別子は０となる。図１１に示されるように、識別子が１であれば、第ｋ−１フレームに対し、対応する第ｎ−１変換ブロックの前後フレームに同じピッチ周期が設定されている。第ｎ−１変換ブロックの後フレームのピッチ周期は、第ｋフレームに対応する第ｎ変換ブロックの前フレームのピッチ周期と同一であるから、第ｋフレームの符号化情報に付加されているピッチ周期の値から、すべてのピッチ周期を確定できる。図１２に示されるように、識別子が０であれば、第ｋ−１フレームに対し、対応する第ｎ−１変換ブロックの前後フレームには異なるピッチ周期が設定されている。第ｎ−１変換ブロックの前フレームのピッチ周期は、第ｋ−２フレームに対応する第ｎ−２変換ブロックの後フレームのピッチ周期と同一であり、さらに第ｋ−２フレームの識別子は１であるから、第ｋ−２フレームに対応する第ｎ−２変換ブロックの前フレームと後フレームのピッチ周期は等しい。これから、第ｎ−１変換ブロックの前フレームのピッチ周期が確定する。また、第ｎ−１変換ブロックの後フレームのピッチ周期は、第ｎ変換ブロックの前フレームのピッチ周期に等しいことから、第ｎ−１変換ブロックの後フレームのピッチ周期も確定する。
【００５８】
以上の処理により失われたピッチ周期情報を復元した後、復元されたピッチ周期情報を用いて、第ｎ−１変換ブロックに対する補間信号を生成する。補間信号生成の方法は、復元された識別子情報の値によって異なる。図１３は、識別子情報が１の場合の処理を示す図である。第ｎ変換ブロックの前フレームの信号を第ｎ−１変換ブロックの前フレームに複製し、また、第ｎ−２変換ブロックの後フレームの信号を第ｎ−１変換ブロックの後フレームに複製する。図１４は、識別子情報が０の場合の処理を示す図である。第ｎ−２変換ブロックの前フレームの信号を第ｎ−１変換ブロックの前フレームに複製し、また、第ｎ変換ブロックの後フレームの信号を第ｎ−１変換ブロックの後フレームに複製する。
【００５９】
以上の処理により生成された補間信号は、オーバラップ加算処理を可能にする条件（オーバラップ区間において同じピッチ周期を持つこと）を満たしており、オーバラップ加算処理の結果得られる補間復号信号は、失われたフレームに含まれていたピッチ周期波形と相関の高いピッチ周期波形となる。結果として、上記補間処理を用いることによって、時間領域におけるピッチ波形繰り返しによる補間処理と同等の処理を実現することが可能となる。
【００６０】
なお、本発明の実施の形態において、各フレームの符号化情報に付加されているピッチ周期情報は、消失フレームの隣接フレームに付加されているピッチ周期情報を元に、消失フレームに対応するＭＤＣＴ変換ブロックに属する前フレームと後フレームのピッチ周期を復元するために必要な情報である。したがって、実施の形態を説明するにあたって用いた、各符号化フレーム対応するＭＤＣＴ変換ブロックの前フレームのピッチ周期の値と、当該ＭＤＣＴ変換ブロックの前フレームと後フレームのピッチ周期が等しいか否かを示す識別情報に代えて、前記ピッチ周期を復元する目的に適うどのような形式の情報を付加してもよい。例えば、すべての符号化フレームに対して、前記前フレームと後フレームの２つのピッチ周期の値を付加してもよい。
【００６１】
なお、本発明の実施の形態を説明するにあたって、符号化装置における時間周波数変換としてＭＤＣＴ変換を使用し、復号化装置における時間周波数逆変換として逆ＭＤＣＴ変換を使用する例を用いているが、ＭＤＣＴは先に述べたＴＤＡＣ技術に基づく変換アルゴリズムの一例であり、ＭＤＣＴに代えて、ＴＤＡＣ技術に基づくいかなる変換処理を用いることも可能であることは、当該技術の専門家にとって自明である。
【００６２】
なお、本発明を上記実施の形態に基づいて説明してきたが、本発明は、上記の実施の形態に限定されないのはもちろんである。以下のような場合も本発明に含まれる。
【００６３】
（１）上記の各装置は、具体的には、マイクロプロセッサ、ＲＯＭ、ＲＡＭ、ハードディスクユニット、ディスプレイユニット、キーボード、マウスなどから構成されるコンピュータシステムである。前記ＲＡＭまたはハードディスクユニットには、コンピュータプログラムが記憶されている。前記マイクロプロセッサが、前記コンピュータプログラムにしたがって動作することにより、各装置は、その機能を達成する。ここでコンピュータプログラムは、所定の機能を達成するために、コンピュータに対する指令を示す命令コードが複数個組み合わされて構成されたものである。
【００６４】
（２）上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。前記ＲＡＭには、コンピュータプログラムが記憶されている。前記マイクロプロセッサが、前記コンピュータプログラムにしたがって動作することにより、システムＬＳＩは、その機能を達成する。
【００６５】
（３）上記の各装置を構成する構成要素の一部または全部は、各装置に脱着可能なＩＣカードまたは単体のモジュールから構成されているとしてもよい。前記ＩＣカードまたは前記モジュールは、マイクロプロセッサ、ＲＯＭ、ＲＡＭなどから構成されるコンピュータシステムである。前記ＩＣカードまたは前記モジュールは、上記の超多機能ＬＳＩを含むとしてもよい。マイクロプロセッサが、コンピュータプログラムにしたがって動作することにより、前記ＩＣカードまたは前記モジュールは、その機能を達成する。このＩＣカードまたはこのモジュールは、耐タンパ性を有するとしてもよい。
【００６６】
（４）本発明は、上記に示す方法であるとしてもよい。また、これらの方法をコンピュータにより実現するコンピュータプログラムであるとしてもよいし、前記コンピュータプログラムからなるディジタル信号であるとしてもよい。
【００６７】
また、本発明は、前記コンピュータプログラムまたは前記ディジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなどに記録したものとしてもよい。また、これらの記録媒体に記録されている前記ディジタル信号であるとしてもよい。
【００６８】
また、本発明は、前記コンピュータプログラムまたは前記ディジタル信号を、電気通信回線、無線または有線通信回線、インターネットを代表とするネットワーク、データ放送等を経由して伝送するものとしてもよい。
【００６９】
また、本発明は、マイクロプロセッサとメモリを備えたコンピュータシステムであって、前記メモリは、上記コンピュータプログラムを記憶しており、前記マイクロプロセッサは、前記コンピュータプログラムにしたがって動作するとしてもよい。
【００７０】
また、前記プログラムまたは前記ディジタル信号を前記記録媒体に記録して移送することにより、または前記プログラムまたは前記ディジタル信号を前記ネットワーク等を経由して移送することにより、独立した他のコンピュータシステムにより実施するとしてもよい。
【００７１】
（５）上記実施の形態および上記変形例をそれぞれ組み合わせるとしてもよい。
【産業上の利用可能性】
【００７２】
本発明は、オーディオ信号を符号化して伝送し、受信した符号を復号して元のオーディオ信号を得る装置一般に適用可能である。特に伝送路として、伝送エラーの発生しやすい無線伝送路やインターネット網を用いる放送、通信機器において有用である。
【図面の簡単な説明】
【００７３】
【図１】本発明の符号化装置の構成を示す図
【図２】従来のＡＡＣ方式における補間処理の構成の一例を示す図
【図３】スペクトルバッファの状態を示す図
【図４】逆ＭＤＣＴ変換処理の構成を示す図
【図５】ピッチ周期情報の配置パターンを示す図
【図６】失われた符号化情報とピッチ周期情報の配置パターンの関係の一例を示す図
【図７】失われた符号化情報とピッチ周期情報の配置パターンの関係の一例を示す図
【図８】本発明の復号化装置の構成を示す図
【図９】本発明の復号信号バッファ手段の構成を示す図
【図１０】失われた符号化情報とピッチ周期情報の配置パターンの関係の一例を示す図
【図１１】失われた符号化情報とピッチ周期情報の配置パターンの関係の一例を示す図
【図１２】失われた符号化情報とピッチ周期情報の配置パターンの関係の一例を示す図
【図１３】本発明の補間信号生成方法の一例を示す図
【図１４】本発明の補間信号生成方法の一例を示す図
【符号の説明】
【００７４】
１０１  フレーミング手段
１０２  ピッチ周期検出手段
１０３  波形変形手段
１０４  ＭＤＣＴ手段
１０５  ＭＤＣＴ係数符号化手段
１０６  ビットストリーム多重化手段
１０７  入力オーディオ信号
１０８  ピッチ周期
１０９  符号化フレーム信号
１１０  変形されたＭＤＣＴフレーム信号
１１１  ＭＤＣＴ係数
１１２  ＭＤＣＴ符号化情報
１１３  出力ビットストリーム
１１４  ピッチ周期変化パターン制御手段
１１５  修正されたピッチ周期
２０１  エラー検出手段
２０２  補間信号生成手段
２０３  スペクトル信号バッファ手段
２０４  スペクトル信号復号手段
２０５  時間周波数逆変換手段
２０６  入力ビットストリーム
２０７  エラーフラグ
２０８  エラーのない入力ビットストリーム
２０９  復号されたスペクトル信号
２１０  前フレームおよび次フレームのスペクトル信号
２１１  補間信号
２１２  スペクトル信号バッファから取り出されたスペクトル信号
２１３  出力オーディオ信号
８０１  エラー検出手段
８０２  ビットストリーム分離手段
８０３  ＭＤＣＴ係数復号化手段
８０４  逆ＭＤＣＴ手段
８０５  復号信号バッファ手段
８０６  オーバラップ加算手段
８０７  波形変形手段
８０８  波形接続手段
８０９  復号信号選択手段
８１０  補間信号生成手段
８１１  入力ビットストリーム
８１２  エラーのない入力ビットストリーム
８１３  エラーフラグ
８１４  ＭＤＣＴ係数符号
８１５  ピッチ周期情報
８１６  ＭＤＣＴ係数
８１７  逆ＭＤＣＴ変換された復号信号
８１８  復号信号バッファ手段から取り出された復号信号
８１９  フレーム復号信号
８２０  変形されたフレーム復号信号
８２１  出力オーディオ信号
８２２  指示
８２３  補間信号生成に使用する復号信号
８２４  消失したＭＤＣＴ変換ブロックに対する補間信号
８２５  復元されたピッチ周期情報
【図１】
2008261904.tif 000003
【図２】
2008261904.tif 000004
【図３】
2008261904.tif 000005
【図４】
2008261904.tif 000006
【図５】
2008261904.tif 000007
【図６】
2008261904.tif 000008
【図７】
2008261904.tif 000009
【図８】
2008261904.tif 000010
【図９】
2008261904.tif 000011
【図１０】
2008261904.tif 000012
【図１１】
2008261904.tif 000013
【図１２】
2008261904.tif 000014
【図１３】
2008261904.tif 000015
【図１４】
2008261904.tif 000016